(57)【要約】【課題】二重壁構造において、構造簡易にして上下方向の変位に対応可能な笠木とその固定構造を提供する。【解決手段】躯体１０１の外側に外壁パネル１０３を設け、躯体１０１のパラペット２の天端部２Ｔにブラケット３を所定間隔をおいて取り付け、このブラケット３に笠木本体４を嵌着する笠木１において、ブラケット３にパラペット２に固定するパラペット側平板部１１を設け、ブラケット３の内面側には、外壁パネル１０３の天端部１０３Ｔに対応して外側に凹んだ凹部１８を設けたから、パラペットと外壁パネルとの間で上下方向の変位が生じたり、外壁パネル１０３が微小回動してパラペット２と外壁パネル１０３の天端部２Ｔ，１０３Ｔ同士の角度が変る変位が生じたりしても、この変位を凹部１８により吸収することができるため、ブラケット３に外壁パネル１０３が当たることが無い。【選択図】図１
2020122304.tif 000002
【特許請求の範囲】
【請求項１】
躯体の外側に外壁パネルを設け、前記躯体のパラペットの天端部にブラケットを所定間隔をおいて取り付け、このブラケットに笠木本体を嵌着する笠木において、前記笠木本体は、前記天端部の長手方向に延びる天板部と、該天板部の幅方向の両外端側に設けられた側板部とを有し、前記ブラケットに前記パラペットに固定するパラペット固定部を設け、前記ブラケットの内側には、前記外壁パネルの天端部に対応して外側に凹んだ凹部を設けたことを特徴とする笠木。
【請求項２】
前記パラペット固定部が前記パラペットの幅方向に並んだ複数の固定手段により前記パラペットの天端部に固定されていることを特徴とする請求項１記載の笠木。
【請求項３】
請求項１又は２記載の笠木の取付構造において、前記パラペット固定部が前記パラペットの天端部に固定され、前記ブラケットに前記笠木本体が嵌着され、前記ブラケットの笠木幅方向両側に前記笠木本体の内面を支持する支持部を有し、前記支持部と前記笠木本体の内面との間に緩衝材を設け、この緩衝材は弾性と絶縁性を有し、前記ブラケットと前記外壁パネルの天端部が非接触状態で、前記凹部と前記外壁パネルの天端部との間隔が２０ミリ以上であることを特徴とする笠木の取付構造。
【発明の詳細な説明】
【技術分野】
【０００１】
本発明は、躯体の外側に外壁パネルを設け、その躯体のパラペットと外壁パネルの天端部に設ける笠木とその取付構造に関する。
【背景技術】
【０００２】
従来より、パラペットの上部には、ひび割れによる漏水などを防止するために笠木が取り付けられている。このような笠木は、一般にアルミ材を押出成形した薄板状の断面コ字型であって、パラペット天端部に所定間隔毎に取り付けられた複数のブラケットに対して上から嵌め込んで取り付けられる（例えば特許文献１）。
【０００３】
ところで、新設の建築物の外装や既設建築物の改装などにおいて、建築物の躯体の外側に外側パネルを設ける工法が知られており、躯体外壁と外側パネルの間に空気層を設けたり、断熱材をサンドイッチ状に挟んだりすることにより建築物の断熱性の向上が図られ、既設建築物では、躯体外壁を補修する場合に比べて安価に外装を改修することができる。
【０００４】
そして、このような外側パネルはロッキング機構（例えば特許文献２）により躯体に取り付けられ、地震などの際の破損を防止するため、１枚毎に微小回転可能としたり、天端が上下したりするように取り付けられている（例えば特許文献３）。
【０００５】
上記のように躯体外壁と外壁パネルとの二重構造では、地震などが発生して外壁パネルが微小回転すると、外側パネルの天端が変位するため、笠木のブラケットを躯体外壁と外壁パネルの両者に固定すると、ブラケットから笠木に無理な力が加わり、笠木が変形したり外れたりする虞がある。
【０００６】
このため、躯体外壁と外壁パネルの天端部に跨ってブラケットたる平板状の力板を設け、この力板を外壁のパラペット側のみに固定する構造が知られているが、この構造では、外壁パネルの天端部が上昇する変位を生じると、これに対応することができず、笠木が変形したり外れたりして、補修交換を行わなければならないという問題がある。
【０００７】
これに対して、建設材に建築仕上材を付設するために使用される取付金物であって、金物本体と弾性材とを有してなり、該金物本体は、剛体よりなり該建築仕上材が取付けられ、該弾性材は、該金物本体と該建設との間に介装，取付けられると共に、外力にて該建設材が変位した場合に、伸縮してこれを吸収可能となっている建築仕上材の取付金物（特許文献４）がある。
【０００８】
前記取付金具では、外壁材と躯体材とからなる二重壁構造において、ブラケットに対応する弾性材を外壁材と躯体材にそれぞれ弾性材を取り付け、これら弾性材は、折曲された板バネ製よりなり、該金物本体に止着されると共に該外壁材上に止着されるものと、該金物本体に止着されると共に該躯体材上に止着されるものとが、対をなして、それら外壁材と躯体材における相対変位を吸収することができるが、構造が複雑になり、材料費及び工費が嵩むという問題がある。
【先行技術文献】
【特許文献】
【０００９】
【特許文献１】実用新案登録第３００４９３１号公報
【特許文献２】特開２００１−１８２２８２号公報
【特許文献３】特開２０１４−１７７７８５号公報
【特許文献４】特開２００４−１８３３４６号公報
【発明の開示】
【発明が解決しようとする課題】
【００１０】
本発明は、このような問題を解決しようとするもので、二重壁構造において、構造簡易にして上下方向の変位に対応可能な笠木とその取付構造を提供することを目的とする。
【課題を解決するための手段】
【００１１】
請求項１の発明は、躯体の外側に外壁パネルを設け、前記躯体のパラペットの天端部にブラケットを所定間隔をおいて取り付け、このブラケットに笠木本体を嵌着する笠木において、前記笠木本体は、前記天端部の長手方向に延びる天板部と、該天板部の幅方向の両外端側に設けられた側板部とを有し、前記ブラケットに前記パラペットに固定するパラペット固定部を設け、前記ブラケットの内側には、前記外壁パネルの天端部に対応して外側に凹んだ凹部を設けたことを特徴とする。
【００１２】
請求項２の発明は、前記パラペット固定部が前記パラペットの幅方向に並んだ複数の固定手段により前記パラペットの天端部に固定されていることを特徴とする。
【００１３】
請求項３の発明は、請求項１又は２記載の笠木の取付構造において、前記パラペット固定部が前記パラペットの天端部に固定され、前記ブラケットに前記笠木本体が嵌着され、前記ブラケットの笠木幅方向両側に前記笠木本体の内面を支持する支持部を有し、前記支持部と前記笠木本体の内面との間に緩衝材を設け、この緩衝材は弾性と絶縁性を有し、前記ブラケットと前記外壁パネルの天端部が非接触状態で、前記凹部と前記外壁パネルの天端部との間隔が２０ミリ以上であることを特徴とする。
【発明の効果】
【００１４】
請求項１の構成によれば、パラペットと外壁パネルとの間で上下方向の変位が生じたり、外壁パネルが微小回動してパラペットと外壁パネルの天端部同士の角度が変る変位が生じたりしても、この変位を凹部により吸収することができるため、ブラケットに外壁パネルが当たることが無い。
【００１５】
請求項２の構成によれば、ブラケットを安定してパラペットの天端部に固定することができる。
【００１６】
請求項３の構成によれば、外壁パネルの変位を２０ミリまで吸収することができる。また、ブラケットの両側の支持部により笠木本体を安定して支持することができ、しかも、支持部に設けた緩衝材により、がたつきと電蝕の発生を防止できる。
【図面の簡単な説明】
【００１７】
【図１】本発明の実施例１を示す断面図である。
【図２】同上、斜視図である。
【図３】同上、ブラケットの平面図である。
【図４】同上、要部の断面図である。
【図５】本発明の実施例２を示す断面図である。
【図６】同上、ブラケットの平面図である。
【図７】本発明の実施例３を示すブラケットの平面図である。
【図８】本発明の実施例４を示す断面図である。
【発明を実施するための形態】
【００１８】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な笠木を採用することにより、従来にない笠木が得られ、笠木とその取付構造を夫々記述する。
【実施例１】
【００１９】
以下、本発明の笠木について添付図面を参照して説明する。図１〜図４は、本発明の実施例１を示す。本実施例においては、建物の躯体１０１の外壁１０２の外側に外壁パネル１０３を設け、前記外壁１０２と外壁パネル１０３との間に間隔１０４を設け、この間隔１０４に断熱材を設けて断熱層１０５を構成している。また、外壁パネル１０３はロッキング機構により躯体１０１に取り付けられ、この例では、躯体１０１のパラペット２の天端部２Ｔと前記外壁パネル１０３の天端部１０３Ｔは、初期の取付状態で同一高さである。尚、外壁パネル１０３としては、コンクリート押出成形板やＡＬＣ板（軽量気泡コンクリート板）などが例示され、前記パラペット２はコンクリート製やＣ形鋼など鋼製等が例示される。
【００２０】
このように外壁二重壁構造１１０の建物において、躯体１０１たる建物の屋上のパラペット２と前記外壁パネル１０３の天端部２Ｔ，１０３Ｔに、笠木１を設ける例を説明する。以下の説明では、外壁二重壁構造１１０において、前記外壁パネル１０３側が笠木幅方向の外側で、パラペット２側が笠木幅方向の内側である。尚、天端部２Ｔは天端部１０３Ｔより幅広に形成されている。
【００２１】
笠木１は、前記パラペット２の天端部２Ｔに固定するブラケット３と、このブラケット３に嵌着する笠木本体４とを備える。前記ブラケット３は、アルミニウムの押出成形品や後述する材料により成形され、前記パラペット２の天端部２Ｔに固定されるパラペット固定部たるパラペット側平板部１１を備え、このパラペット側平板部１１の笠木幅方向内側には、前記パラペット側平板部１１の内端から立ち上がる立上り部１２と、この立上り部１２から内側に向って伸びる支持部たる支持外面部１３と、この支持外面部１３の内端から垂設された内側垂設部１４とを一体に有し、前記支持外面部１３は笠木本体４の内面に対応して形成されている。尚、前記ブラケット３は、笠木１の長さ方向に略一定幅を有する。
【００２２】
前記ブラケット３は笠木本体４より肉厚で曲げ強度が高い高強度材料から形成することが好ましい。そして、ブラケット３はアルミニウム製である笠木本体４と異種金属などにより形成され、例えば、従来と異なるアルミニウム高強度板曲げ材，アルミニウム高強度ダイキャスト材，ステンレス高強度板曲げ材，ステンレスロストワックス材，アルミニウム高強度押出成形材，カーボンファイバー，チタン材などをブラケット３に用いることができる。尚、前記アルミニウム，ステンレス及びチタンには、アルミニウム合金，ステンレス合金及びチタン合金が含まれる。
【００２３】
また、前記パラペット側平板部１１の笠木幅方向外側には、前記パラペット側平板部１１の外端から立ち上がる立上り部１５と、この立上り部１５から外側に向って伸びる支持部たる支持外面部１６と、この支持外面部１６の内端から垂設された外側垂設部１７とを一体に有する。
【００２４】
前記支持外面部１３は笠木本体４の内面に対応して形成され、前記立上り部１５と支持外面部１６と外側垂設部１７の下面により、前記外壁パネル１０３の天端部１０３Ｔに対応して外側に凹んだ凹部１８を構成している。尚、外側の前記支持外面部１６は内側の前記支持外面部１３より幅広である。
【００２５】
前記凹部１８の天端部２Ｔに対する高さＨは、２０ミリ（ミリメートル）以上が好ましく、この高さＨが天端部１０３Ｔと凹部１８の内面の間隔であり、地震などにより天端部１０３Ｔの最大の上昇が予想される設定上昇高さである。また、前記支持外面部１６と外側垂設部１７との間には屈曲部１９が形成され、前記支持外面部１６と立上り部１５との間には屈曲部２０が形成されており、前記高さＨは前記天端部１０３Ｔと前記屈曲部１９の内面との間隔である。
【００２６】
前記立上り部１２は斜めに立ち上り、パラペット側平板部１１に対して、３０度以上、４５度以下の角度をなす。また、前記支持外面部１３，１６は外側から内側に向って僅かに低くなるように傾斜し、外側垂設部１７と支持外面部１６との挟角及び支持外面部１３と内側垂設部１４との挟角は、１００度以上、１１５度以下であり、垂設部１４，１７の間隔は下方に向かって広がるように構成されている。また、前記凹部１８の幅Ｗは前記外壁パネル１０３の幅ＷＰより大きい。そして、前記外壁パネル１０３の厚さにもよるが、前記凹部１８の幅Ｗは５０〜３００ミリが例示される。また、図面とは異なるが、前記幅Ｗは笠木本体４の幅の１／３以上とすることが好ましい。
【００２７】
そして、外壁二重壁構造１１０において、凹部１８に位置する外壁パネル１０３の天端部１０３Ｔは、前記屈曲部１９側に位置し、この例では、外壁パネル１０３の天端部１０３Ｔの外角部１０３Ｋと、前記屈曲部２０との平面における間隔Ｓを、１０ミリ以下としている。一方、前記天端部１０３Ｔの内角部と、前記屈曲部２０との平面における間隔Ｋは、前記間隔Ｓより広い。尚、図面では前記間隔Ｓは０ミリである。
【００２８】
また、前記支持外面部１３，１６には、シート状の緩衝材２１が取付けられ、この緩衝材２１は弾性を有すると共に、電気的絶縁性を有し、前記笠木本体４の内面に当接して該笠木本体４の内面を支えるようになっている。そして、緩衝材２１には平ゴムやスポンジなどを用いることができる。
【００２９】
前記パラペット側平板部１１には、幅方向に一対の長い長孔２２，２２が笠木１の長さ方向に並んで穿設され、それら長孔２２，２２にそれぞれ固定部材たるアンカーボルト２３，２３を挿通し、それらアンカーボルト２３，２３，２３，２３によりパラペット側平板部１１をパラペット２の天端部２Ｔに固定している。
【００３０】
次に、笠木本体４について説明する。笠木本体４は、アルミニウムを一体的に押出成形して形成されたもので、パラペット２及び外壁パネル１０３の天端部２Ｔ，１０３Ｔに沿って長手方向に延びた天板部３１と、この天板部３１の両外端縁に垂設された一対の側板部３２，３３とを有している。また、前記側板部３２，３３の先端側には、ブラケット３に引っ掛けて笠木本体４を固定するためのＬ型のフランジ部３４が笠木幅方向の中央側に向かって略水平に形成されている。
【００３１】
前記天板部３１の外端縁には雨垂れ防止用の隆起部３５が設けられている。また、前記フランジ部３４の先端には、ブラケット３の垂設部１４，１７の下端に引っ掛けて笠木本体４を固定する係止凸部３６を一体形成し、この係止凸部３６の先端面３７は略半球状に形成されている。
【００３２】
また、前記外壁二重壁構造１１０の上部には、防水構造たる防水シート５１が設けられ、この防水シート５１は、前記パラペット２の天端部２Ｔと外壁パネル１０３の天端部１０３Ｔの間の前記間隔１０４を塞ぐように、天端部２Ｔ，１０３Ｔに固定され、前記防水シート５１は可撓性を有する。また、防水シート５１に代えて捨て笠木を用いてもよく、断面コの字状の金属板、例えば亜鉛メッキ鋼板で構成された捨て笠木を上方から厚さ方向に挟持するように設け、捨て笠木により間隔１０４の上部を塞いでもよい。尚、図２において、５２はロッキング機構の取付金具であり、取付金具５２により外壁パネル１０３が微小回動可能に外壁１０２に取付けられている。
【００３３】
次に、上記笠木の取付構造の構成につきその作用・効果を説明する。まず、アンカーボルト２３によりブラケット３をパラペット２の天端部２Ｔに固定する。この場合、長孔２２によりブラケット３の笠木幅方向の位置を調整できる。この後、天板部３１を弾性変形させてブラケット３上から笠木本体４を降ろし、垂設部１４，１７の下端面にフランジ部３４を係止する。こうすると垂設部１４，１７の下端に係止凸部３６，３６が係止し、笠木本体４が、がたつくことなく、ブラケット３に笠木本体４を確実に固定することができる。
【００３４】
この取付状態で、ブラケット３に支持外面部１３，１６と笠木本体４の内面との間に緩衝材２１，２１があるため、笠木本体４が、がたつくことがなく、また、ブラケット３と笠木本体４が上述したように異種金属であっても、電蝕を防止することができる。さらに、笠木本体４の両側を支持外面部１３，１６により面状に支持するため、笠木本体４を安定して支持することができる。
【００３５】
特に、取付状態で、外壁パネル１０３の上部にはブラケット３の凹部１８が位置するため、外壁パネル１０３が微小回転するなどして天端部１０３Ｔが上昇しても、これを凹部１８により吸収して外壁パネル１０３がブラケット３に当たることがない。
【００３６】
また、図１に示した初期の取付状態で、笠木本体４の側板部３２，３３の下端は、外壁パネル１０３の天端部１０３Ｔより下方に位置するから、外壁パネル１０３の天端部１０３Ｔが降下しても、天端部１０３Ｔを笠木本体４により覆うことができる。尚、笠木本体４の側板部３２，３３の下端とパラペット２の天端部２Ｔとの高さ差ＨＳは、この例では前記高さＨと同じく２０ミリ以上で、高さＨの２倍以上の４０ミリ以上とすることが好ましい。尚、図４に示すように、防水シート５１を設けることにより、天端部２Ｔ，１０３Ｔは防水シート５１の上面となる。
【００３７】
このように本実施例では、請求項１に対応して、躯体１０１の外側に外壁パネル１０３を設け、躯体１０１のパラペット２の天端部２Ｔにブラケット３を所定間隔をおいて取り付け、このブラケット３に笠木本体４を嵌着する笠木１において、笠木本体４は、天端部２Ｔ，１０３Ｔの長手方向に延びる天板部３１と、該天板部３１の幅方向の両外端側に設けられた側板部３２，３３とを有し、ブラケット３にパラペット２に固定するパラペット固定部たるパラペット側平板部１１を設け、ブラケット３の内面側には、外壁パネル１０３の天端部１０３Ｔに対応して外側に凹んだ凹部１８を設けたから、パラペット２と外壁パネル１０３との間で上下方向の変位が生じたり、外壁パネル１０３が微小回動してパラペット２と外壁パネル１０３の天端部２Ｔ，１０３Ｔ同士の角度が変る変位が生じたりしても、この変位を凹部１８により吸収することができるため、ブラケット３に外壁パネル１０３が当たることが無い。
【００３８】
また、このように本実施例では、請求項２に対応して、パラペット固定部たるパラペット側平板部１１がパラペット２の幅方向に並んだ複数の固定手段たるアンカーボルト２３によりパラペット２の天端部２Ｔに固定されているから、ブラケット３を安定してパラペット２の天端部２Ｔに固定することができる。
【００３９】
また、このように本実施例では、請求項３に対応して、パラペット固定部たるパラペット側平板部１１がパラペット２の天端部２Ｔに固定され、ブラケット３に笠木本体４が嵌着され、ブラケット３の笠木幅方向両側に笠木本体４の内面を支持する支持部たる支持外面部１３，１６を有し、支持外面部１３，１６と笠木本体４の内面との間に緩衝材２１を設け、この緩衝材２１は弾性と絶縁性を有し、ブラケット３と外壁パネル１０３の天端部１０３Ｔが非接触状態で、凹部１８と外壁パネル１０３の天端部１０３Ｔとの間隔たる高さＨが２０ミリ以上であるから、外壁パネル１０３の変位を２０ミリまで吸収することができる。また、ブラケット３の両側の支持外面部１３，１６により笠木本体４を安定して支持することができ、しかも、支持外面部１３，１６に設けた緩衝材２１により、がたつきと電蝕の発生を防止できる。
【００４０】
以下、実施例上の効果として、笠木本体４の側板部３２，３３の下端とパラペット２の天端部２Ｔとの高さ差ＨＳは、前記高さＨと同じく２０ミリ以上で、この例では高さＨの２倍以上の４０ミリ以上であるから、外壁パネル１０３が２０ミリ降下しても、笠木本体４の側板部３２，３３の下端は外壁パネル１０３の天端部１０３Ｔより２０ミリだけ下に位置するから、天端部１０３Ｔを覆うことができる。また、取付状態で、外壁パネル１０３側の外側垂設部１７及び側板部３２の先端は他と接しない自由端であるから、外壁パネル１０３の高さが変化しても、他の部材に影響を与えることがない。さらに、パラペット側平板部１１の外端の立上り部１５から外側垂設部１７の他端までの部分が他の部材に規制されていないから、外壁パネル１０３の高さが変化しても、他の部材に干渉することがない。また、立上り部１２，１５を設けることにより、ブラケット３の断面性能が向上する。
【００４１】
また、支持外面部１３，１６と天板部３１の内面とは、緩衝材２１を介して面接触するから、笠木本体４を安定して支持することができる。さらに、凹部１８に位置する外壁パネル１０３の天端部１０３Ｔは、前記屈曲部１９側に位置し、天端部１０３Ｔの外角部１０３Ｋと、前記屈曲部２０との平面における間隔Ｓが１０ミリ以下であるから、笠木本体４の側板部３２と外角部１０３Ｋとの間の隙間を小さく抑えることができ、笠木本体４の下面側へのゴミなどの侵入を抑制できると共に、笠木本体４の幅寸法を抑えることができる。また、ブラケット３のパラペット側平板部１１の外端側は天端部２Ｔから外側に突出しているから、その突出部分により間隔１０４に設けた部材である断熱層１０５の浮き上がりを防止でき、外壁パネル１０３が上昇しても、断熱層１０５が上昇することを防止できる。さらに、フランジ部３４の先端には、ブラケット３の垂設部１４，１７の下端に引っ掛けて笠木本体４を固定する係止凸部３６を一体形成したから、がたつきなく固定することができる。
【実施例２】
【００４２】
図５及び図６は本発明の実施例２を示し、上記実施例１と同一部分に同一符号を付し、その詳細な説明を省略して詳述すると、この例では、幅方向に長い長孔２２Ａを笠木１の長さ方向に並んで穿設し、１つの長孔２２Ａに２本のアンカーボルト２３，２３を間隔を置いて挿通し、それらアンカーボルト２３，２３，２３，２３によりパラペット側平板部１１をパラペット２の天端部２Ｔに固定している。
【００４３】
したがって、この例でも笠木１の幅方向及び長さ方向に離れた４本のアンカーボルト２３，２３，２３，２３によりブラケット３をパラペット２に固定することができる。
【００４４】
また、立上り部１２、１５のパラペット側平板部１１に対する角度が略９０度であるから、パラペット２の断面性能が向上する。
【００４５】
このように本実施例では、請求項１〜３に対応して、上記実施例１と同様な作用・効果を奏する。
【実施例３】
【００４６】
図７は本発明の実施例３を示し、上記各実施例と同一部分に同一符号を付し、その詳細な説明を省略して詳述すると、この例では、幅方向に長い長孔２２を笠木１の長さ方向に並んで穿設し、１つの長孔２２に１本のアンカーボルト２３を挿通し、それらアンカーボルト２３，２３によりパラペット側平板部１１をパラペット２の天端部２Ｔに固定している。
【００４７】
このように本実施例では、請求項１及び３に対応して、上記各実施例と同様な作用・効果を奏する。
【実施例４】
【００４８】
図８は本発明の実施例４を示し、上記各実施例と同一部分に同一符号を付し、その詳細な説明を省略して詳述すると、この例では、前記ブラケット３の右側の支持部が、前記立ち上り部１２と内側垂設部１４との間の屈曲部６１であり、この屈曲部６１と前記天板部３１の内面との間に前記緩衝材２１を設け、前記屈曲部６１は前記天板部３１に緩衝材２１を介して線接触する。
【００４９】
このように本実施例では、請求項１〜３に対応して、上記各実施例と同様な作用・効果を奏する。
【００５０】
以上、本発明の実施形態について詳述したが、本発明は前記各実施形態に限定されるものではなく、本発明の要旨の範囲内で種々の変形実施が可能である。例えば、緩衝材の材質は適宜選定可能である。また、緩衝材は充填剤などにより形成したものでもよい。さらに、躯体の外壁に外壁パネルを直接当接する状態で取り付け、両者間に間隔のない外壁二重構造にも適用可能できる。
【符号の説明】
【００５１】
１  笠木
２  パラペット
２Ｔ  天端部
３  ブラケット
４  笠木本体
１１  パラペット側平板部（パラペット固定部）
１３  支持外面部（支持部）
１６  支持外面部（支持部）
１８  凹部
２１  緩衝材
２３  アンカーボルト（固定部材）
３１  天板部
３２  側板部
３３  側板部
１０１  躯体
１０２  外壁
１０３  外壁パネル
１０３Ｔ  天端部
１１０  外壁二重壁構造
Ｈ  高さ（間隔）
【図１】
2020122304.tif 000003
【図２】
2020122304.tif 000004
【図３】
2020122304.tif 000005
【図４】
2020122304.tif 000006
【図５】
2020122304.tif 000007
【図６】
2020122304.tif 000008
【図７】
2020122304.tif 000009
【図８】
2020122304.tif 000010